(57)【要約】      （修正有）【課題】エアシャワーの使用後に室内に残存する菌、ウィルス等の除菌、不活化ができるエアシャワー室を提供する。【解決手段】使用者が室内に入退可能な２つの扉を有するエアシャワー室１であって、使用者が一方の扉１３ａを開けることで他方の扉を施錠する第１の施錠機構と、使用者が一方の扉を閉じることでこの扉を施錠する第２の施錠機構と、第１の施錠機構及び第２の施錠機構が２つの扉を施錠することでエアシャワー２を起動して所定時間後に停止するエアシャワー機構と、エアシャワー２が停止することで使用者が２つの扉のいずれかから退室して扉を閉じることで殺菌灯３を起動して所定時間後に停止する殺菌灯機構とを備える。【選択図】図１
0003230108.tif 000002
【実用新案登録請求の範囲】
【請求項１】
使用者が室内に入退可能な２つの扉を有するエアシャワー室であって、
上記使用者が一方の扉を開けることで他方の扉を施錠する第１の施錠機構と、
上記使用者が上記一方の扉を閉じることでこの扉を施錠する第２の施錠機構と、
上記第１の施錠機構及び第２の施錠機構が上記２つの扉を施錠することでエアシャワーを起動して所定時間後に停止するエアシャワー機構と、
上記エアシャワーが停止することで上記２つの扉を開錠する開錠機構と、
上記使用者が上記２つの扉のいずれかから退室して扉を閉じることで殺菌灯を起動して所定時間後に停止する殺菌灯機構と
を備えるエアシャワー室。
【請求項２】
上記エアシャワー又は殺菌灯を停止し、上記２つの扉を開錠する非常停止及び開錠機構をさらに備え、この非常停止及び開錠機構が、上記室内と、上記２つの扉を含む壁部の外面側とに配置される非常停止及び開錠スイッチを含む請求項１に記載のエアシャワー室。
【請求項３】
上記エアシャワーが、
室内の空気を吸引するブロワと、
上記ブロワからの空気を上記室内に還流するパンカと、
上記ブロワの上流側に配置されるプレフィルタと、
上記ブロワと上記パンカとの間に配置されるメインフィルタと
を有する請求項１又は請求項２に記載のエアシャワー室。
【請求項４】
複数の上記パンカを有し、この複数のパンカが上記室内の側面に配置されている請求項３に記載のエアシャワー室。
【請求項５】
上記殺菌灯が、上記室内の天井面に配置されている請求項１から請求項４のいずれか１項に記載のエアシャワー室。
【考案の詳細な説明】
【技術分野】
【０００１】
本考案は、エアシャワー室に関する。
【背景技術】
【０００２】
清浄な状態に維持されているクリーンルーム等に入るには、入室者の衣服等に付着している塵埃を除去することが求められる。このような塵埃を除去する装置として、クリーンルームに入室する前に入室者に強風を吹き付けて衣服等に付着している塵埃を吹き飛ばすエアシャワー装置等が使用されている。
【０００３】
塵埃除去機能に優れると共に、ガス状物質及び浮遊菌の除去機能に優れるエアシャワー装置が発案されている（特開２００４−１６２９２３号公報）。このエアシャワー装置は、ファンで吸引した室内の空気を上記室内に還流するエアシャワー装置であって、上記還流される空気の上流側からプレフィルタと、光触媒及び光源を有する光触媒ユニットと、高性能フィルタとを備えている。このエアシャワー装置は、上記光源に殺菌灯を用いることで上記光触媒が捕捉した菌や微生物の除菌効果を発揮できるとされている。
【先行技術文献】
【特許文献】
【０００４】
【特許文献１】特開２００４−１６２９２３号公報
【考案の概要】
【考案が解決しようとする課題】
【０００５】
上記プレフィルタ、光触媒及び高性能フィルタで捕捉されなかった菌等が、上記エアシャワー装置の使用後に室内に浮遊し、或いは上記エアシャワー装置で吹き飛ばされた菌等が室内の壁等に付着することで、上記室内に残存することがある。このように室内に残存する菌等は、他の使用者が上記エアシャワー装置を使用することで上記他の使用者に付着するおそれがある。上記公報所載のエアシャワー装置は、上記光触媒が捕捉した菌や微生物に対しては除菌効果を発揮できるとしても、上記室内に残存する菌等については考慮されていない。
【０００６】
上述のような事情に鑑みて、本考案は、エアシャワーの使用後に室内に残存する菌、ウィルス等の除菌、不活化ができるエアシャワー室を提供することを目的とする。
【課題を解決するための手段】
【０００７】
使用者が室内に入退可能な２つの扉を有するエアシャワー室であって、上記使用者が一方の扉を開けることで他方の扉を施錠する第１の施錠機構と、上記使用者が上記一方の扉を閉じることでこの扉を施錠する第２の施錠機構と、上記第１の施錠機構及び第２の施錠機構が上記２つの扉を施錠することでエアシャワーを起動して所定時間後に停止するエアシャワー機構と、上記エアシャワーが停止することで上記２つの扉を開錠する開錠機構と、上記使用者が上記２つの扉のいずれかから退室して扉を閉じることで殺菌灯を起動して所定時間後に停止する殺菌灯機構とを備える。
【０００８】
当該エアシャワー室は、使用者が室内に入退可能な２つの扉を有する。このため、例えばクリーンルームの入口に設置し、使用者が、一方の扉から当該エアシャワー室に入り、他方の扉から上記クリーンルーム内に入ることができる。当該エアシャワー室は、上記一方の扉を開けることで上記他方の扉を施錠する第１の施錠機構と、上記一方の扉を閉じることでこの扉を施錠する第２の施錠機構と、上記第１の施錠機構及び第２の施錠機構が上記２つの扉の施錠することでエアシャワーを起動して所定時間後に停止するエアシャワー機構と、上記エアシャワーが停止することで上記２つの扉を開錠する開錠機構とを備える。このため、当該エアシャワー室内に入った使用者は上記エアシャワーを浴びることなく当該エアシャワー室から退室できず、上記クリーンルームに入る前に菌、ウィルス、塵埃等の除去を行うことができる。また、当該エアシャワー室は、上記使用者が退室して扉を閉じることで殺菌灯を起動して所定時間後に停止する殺菌灯機構を備える。このため、当該エアシャワー室は、上記使用者が上記エアシャワーを浴びた後に当該エアシャワー室内に残存する菌、ウィルス、塵埃に付着している菌やウィルスに対して上記殺菌灯の能力に応じた除菌及び不活化ができる。このため、次の使用者に菌、活性しているウィルス等が付着することを抑制できる。
【０００９】
当該エアシャワー室が、上記エアシャワー又は殺菌灯を停止し、上記２つの扉を開錠する非常停止及び開錠機構をさらに備え、この非常停止及び開錠機構が、上記室内と、上記２つの扉を含む壁部の外面側とに配置される非常停止及び開錠スイッチを含むことが好ましい。このようにすることで、非常時に使用者が当該エアシャワー室から退室でき、又は当該エアシャワー室外の者が当該エアシャワー室を通り抜けることができる。
【００１０】
上記エアシャワーが、室内の空気を吸引するブロワと、上記ブロワからの空気を上記室内に還流するパンカと、上記ブロワの上流側に配置されるプレフィルタと、上記ブロワと上記パンカとの間に配置されるメインフィルタとを有することが好ましい。このようにすることで、上記プレフィルタ及びメインフィルタが、エアシャワーで吹き飛ばされた菌、ウィルス、塵埃等を効果的に捕捉でき、上記使用者が入室するクリーンルーム等の室内を清浄に保つことができる。
【００１１】
上記エアシャワーが、複数の上記パンカを有し、この複数のパンカが上記室内の側面に配置されているとよい。このようにすることで、使用者の衣服等に付着している菌、ウィルス、塵埃等を効果的に除去できる。
【００１２】
上記殺菌灯が、上記室内の天井面に配置されているとよい。このようにすることで、上記殺菌灯が上記エアシャワー室内の全体を照射することができ、上記室内に残存する菌、ウィルス等の除菌、不活化を効率的にできる。
【考案の効果】
【００１３】
以上のように、当該エアシャワー室は、エアシャワーの使用後に室内に残存する菌、ウィルス等の除菌、不活化ができる。
【図面の簡単な説明】
【００１４】
【図１】図１は、本考案の一実施形態であるエアシャワー室を示す模式的正面図である。
【図２】図２は、図１のエアシャワー室の模式的Ａ−Ａ断面図である。
【図３】図３は、図１のエアシャワー室の模式的Ｂ−Ｂ断面図である。
【図４】図４は、図１のエアシャワー室で２つの扉を開放した状態を示す模式的平面図である。
【考案を実施するための形態】
【００１５】
以下、本考案の一実施形態であるエアシャワー室について適宜図面を用いて詳説する。
【００１６】
［エアシャワー室］
本考案の一態様であるエアシャワー室１は、図１〜４に示すように、平面視で略矩形であり、室内の床面を含む床部１１と、室内の天井面を含む天井部１２と、室内の側面を含む４つの壁部を有する。壁部は、前壁部１３、右壁部１４、後壁部１５及び左壁部１６を含む。エアシャワー室１は、２つの扉を有する。具体的には、前壁部１３が前扉１３ａを有し、前壁部１３に対向する後壁部１５が後扉１５ａを有する。２つの扉１３ａ，１５ａの内面側は、エアシャワー室１内の側面の一部を構成する。前壁部１３及び後壁部１５を接続する右壁部１４及び左壁部１６は、二重壁であり、内外方向に離間して配置される内壁と外壁とを有する。右壁部１４の右内壁１４ａ及び左壁部１６の左内壁１６ａの内面側は、エアシャワー室１内の側面の一部を構成する。右壁部１４の右外壁１４ｂ及び左壁部１６の左外壁１６ｂの外面側は、エアシャワー室１の外面を構成する。
【００１７】
エアシャワー室１の大きさとしては、特に限定されるものでなく、人一人が入室可能であり、さらにエアシャワー２と、殺菌灯３とが配置可能な大きさであればよく、クリーンルーム等の入口に設置できるように小型であることが好ましい。
【００１８】
〔エアシャワー〕
エアシャワー２は、室内の空気を吸引するブロワ２１と、ブロワ２１からの空気を上記室内に還流するパンカ２２と、ブロワ２１の上流側に配置されるプレフィルタ２３と、ブロワ２１とパンカ２３との間に配置されるメインフィルタ２４とを有することが好ましい。具体的には、エアシャワー２には、空気の流れる方向で上流側から、プレフィルタ２３、ブロワ２１、メインフィルタ２４及びパンカ２２が配置される。右外壁１４ｂ及び右内壁１４ａ間と、左外壁１６ｂ及び左内壁１６ａ間とには、ブロワ２１及びメインフィルタ２４が配置される。右内壁１４ａ及び左内壁１６ａには、プレフィルタ２３及びパンカ２２が配置される。
【００１９】
一方の外壁と内壁との間に配電盤を設け、他方の外壁と内壁との間に照明灯を設けるのが好ましい。例えば、右外壁１４ｂ及び右内壁１４ａの間に配電盤２５を設け、左外壁１６ｂ及び左内壁１６ａの間に照明灯２６を設けるのが好ましい。また、外壁と内壁との間で形成される空間は、ブロワ２１等が配置される下側空間と、配電盤２５及び照明灯２６が設けられる上側空間とを区画する仕切り板２７が配設されることが好ましい。配電盤２５が設けられる側の右内壁１４ａには配電盤の操作盤２５ａを配置し、照明灯２６が設けられる側の左内壁１６ａには照明灯カバー２６ａを設けるとよい。
【００２０】
ブロワ２１は、エアシャワー室１内の下方から空気を吸引し、吸引した空気を上記外壁と内壁との間の下側空間に排出する。ブロワ２１の空気の排出口にメインフィルタ２４を配置するのが好ましい。メインフィルタ２４を介して排出された空気は、上記下側空間に充填され、パンカ２２を介してエアシャワー室１内に還流される。
【００２１】
複数のパンカ２２を有し、この複数のパンカ２２がエアシャワー室１内の側面に配置されていることが好ましい。パンカ２２の数の下限としては、４が好ましく、８がより好ましい。パンカ２２の数の上限としては、１４が好ましく、１２がより好ましい。パンカ２２の数が上記下限に満たないと、上記還流する空気を使用者の全身に吹き付けることが困難になり、上記使用者に付着している菌、ウィルス、塵埃等を効果的に除去できないおそれがある。パンカ２２の数が上記上限を超えると、上記還流する空気の風速が低下し、上記使用者に付着している菌、ウィルス、塵埃等を効果的に除去できないおそれがある。
【００２２】
プレフィルタ２３が、上記室内の側面の下方に配置されていることが好ましい。具体的には、プレフィルタ２３が、右内壁１４ａ及び左内壁１６ａの下方に配置されることが好ましい。このようにすることで、プレフィルタ２３が、ブロワ２１が吸引する空気中の菌、ウィルス、塵埃等を効果的に捕捉できる。
【００２３】
〔殺菌灯〕
殺菌灯３は、エアシャワー室１内の天井面に配置されていることが好ましい。具体的には、殺菌灯３が、天井部１２の内面側の天井面に配置されているのが好ましい。このようにすることで、殺菌灯３が、エアシャワー室１内の全体を容易に照射でき、室内に残存する菌、ウィルス等を効率的に除菌、不活化できる。
【００２４】
殺菌灯３としては、特に限定されるものではなく、例えば紫外線殺菌灯等の公知の殺菌灯を用いることができる。
【００２５】
エアシャワー装置１は、外部からの電力を受電する電源ボックス１２ａを有する。電源ボックス１２ａは、例えば、天井部１２の上面に設けられる。
【００２６】
〔施錠開錠機構〕
エアシャワー室１は、２つの扉１３ａ，１５ａを施錠及び開錠する施錠機構及び開錠機構を有する。上記施錠機構及び開錠機構は、扉１３ａ，１５ａを施錠及び開錠するロック装置４と、このロック装置４に施錠及び開錠の指示をする制御装置（不図示）と、扉１３ａ，１５ａの開放状態及び閉鎖状態を検知する検知装置（不図示）とを有する。
【００２７】
（制御装置）
上記制御装置は、ロック装置４及び上記検知装置に電気的に接続される。また、上記制御装置は、エアシャワー２及び殺菌灯３に電気的に接続される。上記制御装置は、ロック装置４、検知装置、エアシャワー機構及び殺菌灯機構それぞれから送信される情報に基づいて上記それぞれの状態を診断すると共に、上記それぞれに対して指示を送信する。上記制御装置は、一の制御装置で上記それぞれの制御をするものとしてもよいし、二以上としてもよく、又は上記それぞれが制御装置を有するものとしてもよい。
【００２８】
（ロック装置）
ロック装置４としては、特に限定されるものでなく、例えば、ソレノイドロック等の公知のものを用いることができる。ソレノイドロックは、外壁１４ｂと内壁１４ａとの間、及び外壁１６ｂと内壁１６ａとの間にソレノイド部分を配置し、このソレノイド部分に出退可能なプランジャが扉１３ａ，１５ａに形成される穴部分に係合して扉１３ａ，１５ａを施錠し、上記プランジャが上記穴部分との係合を解除することで扉１３ａ，１５ａを開錠する。
【００２９】
（検知装置）
上記検知装置としては、特に限定されるものでなく、接触式、非接触式等の公知のものを用いることができる。接触式は、例えば、一対の壁部１３，１５と扉１３ａ，１５ａとが電気的に接続される接点部分を有し、この接点部分が通電状態で扉１３ａ，１５ａを閉鎖状態として検知し、上記接点部分が非通電状態で扉１３ａ，１５ａを開放状態として検知する。非接触式は、例えば、一対の壁部１３，１５が光を照射する発光部分と、この光を受光する受光部分とを有し、扉１３ａ，１５ａが上記光を反射する反射部分を有する。上記受光部分が上記反射部分で反射した光を受光すると扉１３ａ，１５ａを閉鎖状態として検知し、上記受光部分が上記反射光を受光できないと扉１３ａ，１５ａを開放状態として検知する。
【００３０】
エアシャワー室１は、使用者が一方の扉を開けることで他方の扉を施錠する第１の施錠機構を備える。初期状態で、２つの扉１３ａ，１５ａは、いずれも開錠されている。使用者がエアシャワー室１に入室するために一方の扉１３ａを開放すると、扉１３ａ側に設けられた上記検知装置が扉１３ａの開放を検知して上記制御装置に送信する。上記制御装置は、他方の扉１５ａ側のロック装置４に扉１５ａの施錠の指示を送信し、扉１５ａが施錠される。
【００３１】
エアシャワー室１は、上記使用者が上記一方の扉１３ａを閉じることでこの扉を施錠する第２の施錠機構を備える。上記使用者が、開放した一方の扉１３ａを閉鎖すると、扉１３ａ側の上記検知装置が扉１３ａの閉鎖を検知して上記制御装置に送信する。上記制御装置は、扉１３ａ側のロック装置４に扉１３ａの施錠の指示を送信し、扉１３ａが施錠される。
【００３２】
上記エアシャワー機構は、上記第１の施錠機構及び第２の施錠機構が２つの扉１３ａ，１５ａを施錠することでエアシャワー２を起動して所定時間後に停止する。すなわち、上記エアシャワー機構は、上記制御装置とエアシャワー２とで構成される。具体的には、上記制御装置が、扉１５ａ側のロック装置４の施錠を維持しつつ、扉１３ａ側のロック装置４に施錠を指示してエアシャワー２を起動する。起動したエアシャワー２は、予め設定された時間の経過後に停止する。
【００３３】
エアシャワー室１は、エアシャワー２が停止することで２つの扉１３ａ，１５ａを開錠する開錠機構を備える。具体的には、上記制御装置がエアシャワー２を停止すると共に、２つの扉１３ａ，１５ａそれぞれのロック装置４に開錠を指示し、２つの扉１３ａ，１５ａが開錠される。これにより、上記使用者はエアシャワー室１から退室可能になる。
【００３４】
上記殺菌灯機構は、上記使用者が上記他方の扉１５ａを閉じることで殺菌灯３を起動して所定時間後に停止する。すなわち、上記殺菌灯機構は、上記制御装置と殺菌灯３とで構成される。具体的には、上記制御装置が扉１５ａ側の上記検知装置が扉１５ａの閉鎖を検知して上記制御装置に送信する。上記制御装置は、殺菌灯３に起動の指示を送信する。起動した殺菌灯３は、予め設定された時間の経過後に停止する。
【００３５】
エアシャワー室１が、エアシャワー２又は殺菌灯３を停止し、２つの扉１３ａ，１５ａを開錠する非常停止及び開錠機構をさらに備え、この非常停止及び開錠機構が、上記室内と、２つの扉１３ａ，１５ａを含む壁部１３，１５の外面側とに配置される非常停止及び開錠スイッチを含むのが好ましい。
【００３６】
具体的には、エアシャワー室１内の側面に少なくとも一つの非常停止及び開錠スイッチ５が設けられ、２つの扉１３ａ，１５ａを有する壁部１３，１５それぞれの外面側に非常停止及び開錠スイッチ５が設けられることが好ましい。このようにすることで、エアシャワー室１内の使用者、又はエアシャワー室１外の他の者が、非常時に２つの扉１３ａ，１５ａを開錠でき、エアシャワー室１に自由に入退室できる。
【００３７】
［利点］
当該エアシャワー室１は、使用者が入退室可能な２つの扉１３ａ，１５ａを有するため、例えばクリーンルームの前に設置し、上記使用者は、一方の扉１３ａから当該エアシャワー室に入り、他方の扉１５ａから上記クリーンルーム内に入ることができる。当該エアシャワー室１は、扉１３ａが開けられることで扉１５ａを施錠し、扉１３ａが閉じられることでこの扉１３ａを施錠してエアシャワー２を起動し、所定時間経過後に停止して２つの扉１３ａ，１５ａを開錠する。このため、当該エアシャワー室１に入室した使用者はエアシャワー２を浴びることなく上記クリーンルームに入ることができず、上記クリーンルームを清浄に保つことができる。また、当該エアシャワー室１は、上記使用者が扉１５ａを開放して退室し、扉１５ａが閉鎖されることで殺菌灯３を起動して所定時間経過後に停止する。このため、当該エアシャワー装置１は、上記使用者が当該エアシャワー室１を使用した後に室内に残存する菌、ウィルス等に対して殺菌灯３による除菌及び不活化ができる。このため、次の使用者に菌、活性しているウィルス等が付着することを抑制できる。
【００３８】
［その他の実施形態］
上記開示された実施の形態は全ての点で例示であって制限的なものではないと考えられるべきである。本考案の範囲は、上記実施形態の構成に限定されるものではなく、実用新案登録請求の範囲によって示され、実用新案登録請求の範囲と均等の意味及び範囲内での全ての変更が含まれることが意図される。
【００３９】
上記実施形態では、２つの扉１３ａ，１５ａが対向する２つの壁部１３，１５に配置されるもので説明したが、２つの扉は、連続する２つの壁部１３，１４に配置することもできる。
【００４０】
エアシャワー室１は、平面視で略矩形のもので説明したが、これに限定されるものではなく、例えば、平面視で略円形のもの等としてもよい。
【００４１】
エアシャワー室１は、室内に使用者がいることを検知するセンサー等を備えるものであってもよい。
【００４２】
殺菌灯３は、エアシャワー２の起動及び停止と同時に起動及び停止して使用者に照射するものとしてもよい。
【００４３】
当該エアシャワー室１は、２つの扉１３ａ，１５ａのいずれから入室してもエアシャワー２が動作するようにしてもよいし、一方の扉１３ａから入室したときにのみエアシャワー２が動作し、他方の扉１５ａから入室したときにはエアシャワー２が動作せず、扉１３ａ，１５ａの施錠がされないようにしてもよい。
【００４４】
当該エアシャワー室１は、殺菌灯３が起動して停止するまでの間に２つの扉１３ａ，１５ａを施錠するものとしてもよい。
【産業上の利用可能性】
【００４５】
本考案のエアシャワー室は、上述のように、使用後に室内に残存する菌、ウィルス等を除菌、不活化することができるので、クリーニングルーム、食品工場等の衛生管理が厳格な施設等において好適に用いることができる。
【符号の説明】
【００４６】
１  エアシャワー室
１１  床部
１２  天井部
１２ａ  電源ボックス
１３  前壁部
１３ａ  前扉
１４  右壁部
１４ａ  右内壁
１４ｂ  右外壁
１５  後壁部
１５ａ  後扉
１６  左壁部
１６ａ  左内壁
１６ｂ  左外壁
２  エアシャワー
２１  ブロワ
２２  パンカ
２３  プレフィルタ
２４  メインフィルタ
２５  配電盤
２５ａ  操作盤
２６  照明灯
２６ａ  照明カバー
２７  仕切り板
３  殺菌灯
４  ロック機構
５  非常停止スイッチ
【図１】
0003230108.tif 000003
【図２】
0003230108.tif 000004
【図３】
0003230108.tif 000005
【図４】
0003230108.tif 000006